(57)【要約】【課題】電源投入開閉器が開放モード故障時でも異常監視を適切に行なえるデジタル制御要素を有する電動機用電源投入開閉器の異常監視装置を得る。【解決手段】直流電動機３の電源投入を制御する電源投入開閉器２、電源投入開閉器２に指令信号を印加する制御装置１、前記指令信号に応動する入力信号監視リレー４、直流電動機３の作動に応動する出力信号監視リレー５、入力信号監視リレー４と出力信号監視リレー５との動作を比較して異常監視を行う異常監視リレー回路６を設けた。【選択図】図１
2005249502.tif 000002
【特許請求の範囲】
【請求項１】
電動機の電源投入を制御する電源投入開閉器、前記電源投入開閉器に指令信号を印加する制御装置、前記指令信号に応動する第１のリレー要素、前記電動機の付勢に応動する第２のリレー要素を備え、前記第１のリレー要素と前記第２のリレー要素との動作を比較して異常監視を行う異常監視手段を設けたことを特徴とする電動機用電源投入開閉器の異常監視装置。
【請求項２】
電動機の電源投入を制御する電源投入開閉器、前記電源投入開閉器に指令信号を印加する制御装置、前記指令信号に応動する入力信号監視リレーからなる第１のリレー要素、前記電動機の付勢に応動する出力信号監視リレーからなる第２のリレー要素を備え、前記入力信号監視リレーからなる第１のリレー要素と前記出力信号監視リレーからなる第２のリレー要素との動作を比較して異常監視を行う異常監視リレー回路からなる異常監視手段を設けたことを特徴とする電動機用電源投入開閉器の異常監視装置。
【請求項３】
電動機の電源投入を制御する電源投入開閉器、前記電源投入開閉器に指令信号を印加する制御装置、前記指令信号に応動する電子回路要素からなる第１のリレー要素、前記電動機の付勢に応動する電子回路要素からなる第２のリレー要素を備え、前記電子回路要素からなる第１のリレー要素と前記電子回路要素からなる第２のリレー要素との出力信号を比較して異常監視を行う論理回路を有する異常監視手段を設けたことを特徴とする電動機用電源投入開閉器の異常監視装置。
【請求項４】
電動機の電源投入を制御する電源投入開閉器、前記電源投入開閉器に指令信号を印加するデジタル制御要素を有するデジタルコントローラで構成される制御装置、前記制御装置のデジタル制御要素により構成され前記指令信号に応動する第１のリレー要素、前記制御装置のデジタル制御要素により構成され前記電動機の付勢に応動する第２のリレー要素を備え、前記制御装置のデジタル制御要素により構成される前記第１のリレー要素と前記制御装置のデジタル制御要素により構成される前記第２のリレー要素との動作を前記デジタルコントローラで構成される制御装置のデジタル制御要素により比較して異常監視を行う異常監視手段を設けたことを特徴とする電動機用電源投入開閉器の異常監視装置。
【発明の詳細な説明】
【技術分野】
【０００１】
この発明は、電動機用電源投入開閉器の異常監視装置、特に、発電所におけるタービンのガバナを駆動する直流電動機の電源投入開閉器の異常監視装置に関するものである。
【背景技術】
【０００２】
従来の直流電動機の電源投入開閉器の異常監視装置においては、指令信号のＯＮ時間は一定であり、電源投入開閉器の出力をパルス幅検出器もしくはタイマリレーによって、電源投入開閉器の短絡故障モードにおける常時ＯＮ状態のみを異常監視している（例えば、特許文献１参照）。
【０００３】
【特許文献１】特開２０００−９７８０号公報
【発明の開示】
【発明が解決しようとする課題】
【０００４】
従来の直流電動機の電源投入開閉器の異常監視装置では、電源投入開閉器の出力パルスのＯＮ時間長さをタイマーで測定し、その長さが設定した値より長くなったときに異常検出していた。このため、断線等開放モードの故障時には異常監視ができていなかった。また、出力パルスのＯＮ時間長さを設定した値より長くすることができないなどの問題点があった。
【０００５】
この発明は、上記のような課題を解決するためになされたものであり、電源投入開閉器が開放モード故障時でも異常監視を適切に行なえる電動機用電源投入開閉器の異常監視装置を得ることを目的とする。
【課題を解決するための手段】
【０００６】
この発明に係る電動機用電源投入開閉器の異常監視装置では、電動機の電源投入を制御する電源投入開閉器に指令信号を印加する制御装置、前記指令信号に応動する第１のリレー要素、前記電動機の作動に応動する第２のリレー要素を備え、前記第１のリレー要素と前記第２のリレー要素との動作を比較して異常監視を行う異常監視手段を設けたものである。
【発明の効果】
【０００７】
この発明によれば、電源投入開閉器が開放モード故障時でも異常監視を適切に行なえる電動機用電源投入開閉器の異常監視装置を得ることができる。
【発明を実施するための最良の形態】
【０００８】
実施の形態１．
この発明による実施の形態１を図１に基づいて説明する。図１は実施の形態１における構成を示す回路接続図である。
【０００９】
図１において、制御装置１からは、電源投入開閉器２にパルスの信号指令が出力される。このパルス指令信号によって電源投入開閉器２は電源を入り切りすることで直流電動機３を駆動させる。
電源投入開閉器２の入力信号が印加されるパルス指令信号回路に入力信号監視リレー４を接続し、電源投入開閉器２の投入によって電源投入開閉器２の出力信号により付勢される直流電動機３の駆動回路に出力信号監視リレー５を接続する。これらの入力信号監視リレー４と出力信号監視リレー５とから異常監視のリレー回路６が構成される。
【００１０】
次に、動作について説明する。
図１において、電源投入開閉器２の入力信号を監視する入力信号監視リレー４と電源投入開閉器２の出力信号を監視する出力監視リレー５とを比較し、どちらも同じ動きであれば正常であると判断し、片方のリレーがＯＮに対し、もう他方のリレーがＯＦＦであれば異常であると判断するリレー回路を構成している。
これにより、電源投入開閉器２の開放モード故障でも異常を監視することができる。また、パルス出力ＯＮ時間を長くしても問題がなくなる。
【００１１】
この発明による実施の形態１によれば、電動機３の電源投入を制御する電源投入開閉器２、前記電源投入開閉器２に指令信号を印加する制御装置１、前記制御装置１からの指令信号に応動する入力信号監視リレー４からなる第１のリレー要素、前記電動機３の付勢に応動する出力信号監視リレー５からなる第２のリレー要素を備え、前記入力信号監視リレー４からなる第１のリレー要素と前記出力信号監視リレー５からなる第２のリレー要素との動作を比較して異常監視を行う異常監視リレー回路６からなる異常監視手段を設けたので、入力信号監視リレーからなる第１のリレー要素と出力信号監視リレーからなる第２のリレー要素との動作を比較して異常監視を行うことにより、電源投入開閉器が開放モード故障時でも異常監視を適切に行なえる電動機用電源投入開閉器の異常監視装置を得ることができる。
【００１２】
実施の形態２．
この発明による実施の形態２を図２に基づいて説明する。図２は実施の形態２における構成を示す回路接続図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１３】
上記実施の形態１では、電源投入開閉器２の入力信号であるパルス指令信号回路に入力信号監視リレー４を接続し、電源投入開閉器２の出力信号である直流電動機３の駆動回路に出力信号監視リレー５を接続し、入力信号監視リレー４と出力信号監視リレー５とからなる異常監視リレー回路６を構成していたが、実施の形態２では、この部分を図２に示す電子回路に置き換えて比較し異常監視を行なうことができ、リレーの機械的駆動品がなくなるために、メインテナンス性が向上する。
【００１４】
図２では、電子回路を用いた異常監視回路６１に、入力信号監視トランジスタＴ１と出力信号監視トランジスタＴ２とを設け、これらの入力信号監視トランジスタＴ１および出力信号監視トランジスタＴ２の出力を、Ｅｘ．ＮＯＲ（Ｅｘｃｌｕｓｉｖｅ＿ＮＯＲ：イクスクルーシブＮＯＲ）ゲート回路からなる論理回路ＬＧに印加するように構成されている。このＥｘ．ＮＯＲゲート回路からなる論理回路ＬＧは「排他的論理和の反転」という論理構成を持つものである。
【００１５】
図２において、制御装置１からパルス指令信号が電源投入開閉器２の操作リレーＲ１に印加され電源投入開閉器２が投入されるべき状態にあるときは、入力信号監視トランジスタＴ１は出力値「１」を出力する。
電源投入開閉器２が投入され電動機３が駆動用電源により付勢されている状態にあるときは、出力信号監視トランジスタＴ２は出力値「１」を出力する。
このように、電源投入開閉器２が正常状態であるときは、異常監視回路６１のＥｘ．ＮＯＲゲート回路からなる論理回路ＬＧの入力端子Ａ，Ｂには、入力Ａ「１」および入力Ｂ「１」が印加され、論理回路ＬＧの出力端子Ｙには出力Ｙ「１」が導出される。この出力Ｙ「１」によって異常監視回路６１の異常監視リレーＲ２は付勢されて、その出力接点を閉合し、異常が発生していないことを表示する。
【００１６】
これに対し、制御装置１からパルス指令信号が電源投入開閉器２の操作リレーＲ１に印加され、入力信号監視トランジスタＴ１が出力値「１」を出力しているにも拘らず、出力信号監視トランジスタＴ２の出力として出力値「０」が示されているときは、電源投入開閉器２に異常状態が発生していることを示している。論理回路ＬＧの入力端子Ａ，Ｂには、入力Ａ「１」および入力Ｂ「０」が印加され、論理回路ＬＧの出力端子Ｙには出力Ｙ「０」が導出される。この出力Ｙ「０」によって異常監視回路６１の異常監視リレーＲ２は消勢されて、その出力接点を開放して、異常の発生を表示する。
そして、入力信号監視トランジスタＴ１が出力値「０」を示し、出力信号監視トランジスタＴ２が出力値「１」を出力しているときも、論理回路ＬＧの出力端子Ｙには出力Ｙ「０」が導出される。この出力Ｙ「０」によって異常監視回路６１の異常監視リレーＲ２は消勢されて、その出力接点を開放して、異常の発生を表示する。
【００１７】
この発明による実施の形態２によれば、電動機の電源投入を制御する電源投入開閉器２、前記電源投入開閉器２に指令信号を印加する制御装置１、前記制御装置１による指令信号に応動する入力信号監視トランジスタＴ１で構成された電子回路要素からなる第１のリレー要素、前記電動機３の付勢に応動する出力信号監視トランジスタＴ２で構成された電子回路要素からなる第２のリレー要素を備え、前記入力信号監視トランジスタＴ１で構成された電子回路要素からなる第１のリレー要素と前記出力信号監視トランジスタＴ２で構成された電子回路要素からなる第２のリレー要素との出力信号を比較して異常監視を行う「排他的論理和の反転」という論理構成を示すＥｘ．ＮＯＲゲート回路からなる論理回路ＬＧを有する電子回路を用いた異常監視回路６１からなる異常監視手段を設けたので、電子回路要素からなる第１のリレー要素と電子回路要素からなる第２のリレー要素との出力信号を比較する論理回路で異常監視を行うことにより、電源投入開閉器が開放モード故障時でも異常監視を適切に行なえる電子回路で構成された電動機用電源投入開閉器の異常監視装置を得ることができる。
【００１８】
実施の形態３．
この発明による実施の形態３を図３に基づいて説明する。図３は実施の形態３における構成を示す回路接続図である。
この実施の形態３において、ここで説明する特有の構成以外の構成については、先に説明した実施の形態１および実施の形態２における構成と同一の構成内容を具備し、同様の作用を奏するものである。図中、同一符号は同一または相当部分を示す。
【００１９】
図３において、制御装置１はシーケンサもしくはプログラマブルコントローラとしてのディジタルコントローラで構成されるデジタル制御要素を有する制御装置によって構成されている。
制御装置１から電源投入開閉器１へ印加される電動機３の電源投入のためのパルス指令信号と、電源投入開閉器２の出力信号である直流電動機３の駆動回路からの出力信号とは、制御装置１におけるデジタル制御要素によって、実施の形態１および実施の形態２における論理構成と同様に、比較演算され、電源投入開閉器２の異常状態発生に応じて制御装置１から異常監視出力を導出する。
【００２０】
この実施の形態３では、シーケンサもしくはディジタルコントローラ等の制御装置１へ、電源投入開閉器の出力を入力し、内部の演算にて比較し異常監視を行うことで、異常監視の構成品をなくすことができ、経済的に優れた装置を得ることができる。
【００２１】
この発明による実施の形態３によれば、電動機３の電源投入を制御する電源投入開閉器２、前記電源投入開閉器２に指令信号を印加するシーケンサもしくはプログラマブルコントローラとしてのディジタルコントローラで構成されるデジタル制御要素を有する制御装置１、前記制御装置１のデジタル制御要素により構成され前記指令信号に応動する第１のリレー要素、前記制御装置１のデジタル制御要素により構成され前記電動機３の付勢に応動する第２のリレー要素を備え、前記制御装置１のデジタル制御要素により構成される前記第１のリレー要素と前記制御装置１のデジタル制御要素により構成される前記第２のリレー要素との動作を前記ディジタルコントローラで構成される制御装置１のデジタル制御要素により比較して異常監視を行う異常監視手段を設けたので、電源投入開閉器が開放モード故障時でも異常監視を適切に行なえるデジタル制御要素を有する制御装置で構成された電動機用電源投入開閉器の異常監視装置を得ることができる。
【図面の簡単な説明】
【００２２】
【図１】この発明による実施の形態１における構成を示す回路接続図である。
【図２】この発明による実施の形態２における構成を示す回路接続図である。
【図３】この発明による実施の形態３における構成を示す回路接続図である。
【符号の説明】
【００２３】
１  制御装置、２  電源投入開閉器、３  直流電動機、４  入力信号監視リレー、５  出力信号監視リレー５、６  異常監視リレー回路、６１  電子回路を用いた異常監視リレー回路。
【図１】
2005249502.tif 000003
【図２】
2005249502.tif 000004
【図３】
2005249502.tif 000005